(57)【要約】【課題】  音声送出装置において、送出装置を現用・予備構成としなくても信頼性を維持し、なおかつ小規模で安価な音声送出装置を提供する【解決手段】  あらかじめ定められた制御データに基づいて、音声データを送出装置に蓄積しておき、外部制御装置からの要求により、決められた放送時間に目的の音声データを同時に多系統にわたって出力することができる送出装置を有する音声送出装置において、送出装置以外に大量の音声データを蓄積でき、直接出力が可能なサーバーと、送出装置とサーバーの出力の切替が可能な切替器を有して、送出装置において音声データの出力が不可能になった時、切替器によりサーバーからの出力に切り替わり、同一の音声データをサーバーから出力する。【選択図】        図１
2005045689.tif 000002
【特許請求の範囲】
【請求項１】
あらかじめ定められた制御データに基づいて、音声データを送出装置に蓄積しておき、外部制御装置からの要求により、決められた放送時間に目的の音声データを同時に多系統にわたって出力することができる送出装置を有する音声送出装置において、
前記送出装置以外に大量の音声データを蓄積でき、直接出力が可能なサーバーと、
前記送出装置と前記サーバーの出力の切替が可能な切替器を有し、
前記送出装置において音声データの出力が不可能になったとき、前記切替器により前記サーバーからの出力に切り替わり、同一の音声データを前記サーバーから出力することを特徴とする音声送出装置。
【発明の詳細な説明】
【技術分野】
【０００１】
本発明は音声送出装置に関し、特に音声データを記録装置に蓄積しておき、制御装置からの要求に応じた音声データを多系統にわたり同時出力する送出装置を有する音声送出装置に関する。
【背景技術】
【０００２】
従来の音声送出装置は大量の音声データを一つの送出装置に蓄積しておき、出力時には音声データを多系統かつ同時出力する構成であった。そして送出装置を現用・予備構成とすることでシステムの信頼性を向上させていた。例として従来の音声送出装置の構成を図４に示す。音声送出装置１は、アナログ音声素材を再生する音声入力機器２と、アナログ音声をディジタル音声に変換するＡＴＤ変換器３と、音声素材の圧縮を行うエンコーダ４と、音声データを出力する送出装置５と、音声データ出力の制御をするオンエアデータを保持する制御装置１１と、オンエアデータの操作・変更を行う端末１２−１〜ｎと、ＬＡＮ１３で構成されている。送出装置５は、音声入力ボード６と、多系統の同時出力を可能とするための音声出力ボード７−１〜ｎと、オンエアデータを受け取るシリアルＩ/Ｆ８と、音声データを記録しておく音声記録装置９と、ＣＰＵ１０で構成されている。また音声データの出力準備要求と出力開始要求をするシステム制御装置Ａと出力された音声データを受けるスイッチャＢがある。
次に動作の説明をする。音声機器２より入力された音声素材は、ＡＴＤ変換器３でディジタル変換され、エンコーダ４で圧縮されて送出装置５に送られる。送出装置５では送られてきた音声データを音声入力ボード６から受け取り、音声記録装置９に記録しておく。音声データの出力は、前の音声データがスイッチャＢに出力されると、システム制御装置Ａから次の音声データの出力準備要求が制御装置１１に入力される。それを受け取った制御装置１１は出力準備の対象となるオンエアデータを送出装置５に送る。オンエアデータを受け取った送出装置５は、そのデータをもとに音声記録装置９から目的の音声データを取り出す。そして放送開始時間が来ると、システム制御装置Ａから出力開始要求が制御装置１１に入力され、制御装置１１は出力開始の対象となるオンエアデータを送出装置５に伝える。要求を受け取った送出装置５は、音声出力ボード７よりデータの伸張を行いスイッチャＢに出力する。端末１２−１〜ｎはオンエアデータの操作・変更を行い、変更されたオンエアデータはＬＡＮ１３を介して制御装置１１に送られ、元のオンエアデータを更新する。
【発明の開示】
【発明が解決しようとする課題】
【０００３】
従来の音声送出装置では、出力する音声データを送出装置の音声記録装置のみに記録しているため、システムの信頼性を向上させるために送出装置の現用・予備構成をする必要があった。そのため大規模かつ高価なシステムになっていた。
そこで、本発明の主な目的は、送出装置を現用・予備構成としなくても信頼性を維持し、なおかつ小規模で安価な音声送出装置を提供することにある。
【課題を解決するための手段】
【０００４】
以上のような課題を解決するために本発明は、あらかじめ定められた制御データに基づいて、音声データを送出装置に蓄積しておき、外部制御装置からの要求により、決められた放送時間に目的の音声データを同時に多系統にわたって出力することができる送出装置を有する音声送出装置において、前記送出装置以外に大量の音声データを蓄積でき、直接出力が可能なサーバーと、前記送出装置と前記サーバーの出力の切替が可能な切替器を有し、前記送出装置において音声データの出力が不可能になったとき、前記切替器により前記サーバーからの出力に切り替わり、同一の音声データを前記サーバーから出力することを特徴とする。
【発明の効果】
【０００５】
本発明により、音声データを大量に記録でき、緊急時には直接送出も可能なサーバーと、送出装置とサーバーの切替を行うための切替器を用いることにより、送出部分を現用・予備構成にしなくても信頼性が維持され、小規模で安価なシステムを提供することができる。
【発明を実施するための最良の形態】
【０００６】
本発明の音声送出装置を図１に示す。音声送出装置２０は、音声素材の入力、制作、編集、圧縮を行う制作・編集部２１と、オンエアデータを操作・変更する操作部２２と、編集された音声データ、オンエアデータを蓄積し、非常時に音声データの送出も行うサーバー２３と、出力を要する音声データのみを記録し、決められた時間に音声データを出力する送出システム２４と、送出システム２４とサーバー２３の送出源の切替えを行う切替器２５と、上位システムから制作されたオンエアデータを受け取る上位システム Ｉ/Ｆ ＰＣ３２と、ＬＡＮ２７、ＬＡＮ２８で構成されている。また音声データの出力準備要求と出力開始要求と切替制御をするシステム制御装置Ａと出力された音声データを受けるスイッチャＢがある。制作・編集部２１と操作部２２は、それぞれ任意の数の端末２９−１〜ｎと３０−１〜ｎで構成されている。送出システム２４は、多系統かつ同時出力を可能とするために任意の数の送出ＰＣ３１−１〜ｎで構成されている。
次にサーバー２３と送出ＰＣ３１−１と切替器２５の詳細な構成を図２を用いて説明する。サーバー２３は、大量の音声データ、オンエアデータを記録するために必要な数のＨＤＤ３２−１〜ｎと、システム制御装置Ａからの要求を受け取り結果を返すためのインタフェースとなるＳＩＯ Ｉ／Ｆ３３と、データのＬＡＮ通信を行うためのインタフェースとなるＬＡＮ Ｉ／Ｆ３４と、音声データを出力するためのインタフェースで任意の数のＡＵＤＩＯ Ｉ／Ｆ３５−１〜ｎと、ＣＰＵ３６で構成されている。送出ＰＣ３１−１は、当日と翌日に放送予定の音声データを記録しておく音声記録装置３７と、サーバー２３と同一のＬＡＮ Ｉ／Ｆ３８、ＳＩＯ Ｉ／Ｆ３９、ＡＵＤＩＯ Ｉ／Ｆ４０と、ＣＰＵ４１で構成されている。切替器２５は、送出ＰＣ３１−１〜ｎと同数の切替スイッチ４２−１〜ｎで構成されている。
次に、音声送出装置２０の通常時の動作について図１，図２を用いて説明する。端末２９‐１〜ｎで入力、制作、編集、圧縮等をした音声データはＬＡＮ２７を介してサーバー２３に転送される。また上位システムから、音声データを制御するオンエアデータが上位システム Ｉ/Ｆ ＰＣ２６に送られる。Ｉ/Ｆ ＰＣ２６はオンエアデータをＬＡＮ２７を介してサーバー２３に送る。サーバー２３は送られてきた音声データとオンエアデータをＨＤＤ３２−１〜ｎに記録しておく。放送時間の数時間前になったら、送出ＰＣ３１−１はサーバー２３に記録されている音声データをＬＡＮ２８を介して取りにきて、サーバー２３に記録されているオンエアデータをもとに、当日と翌日に放送される分の音声データを音声記録装置３７に記録する。
次に音声データの出力過程について図３も参照して説明する。放送時間−１を過ぎると、システム制御装置Ａから送出ＰＣ３１−１に出力準備要求(１)が送られる。送出ＰＣ３１−１は、出力準備要求(１)をＳＩＯ Ｉ/Ｆ３９で受け取り、ＣＰＵ４１で処理し、要求された音声データ(１)を音声記録装置３７から取り出す。その後、送出ＰＣ３１−１はシステム制御装置Ａに準備完了(１)を返す。放送時間０になると、システム制御装置Ａが出力開始要求(１)を送出ＰＣ３１−１に送る。要求を受け取った送出ＰＣ３１−１は、準備していた音声データ(１)を音声出力Ｉ/Ｆ４０からスイッチャＢへ出力する。システム制御装置Ａは、音声データ(１)が出力されてからすぐに出力準備要求(２)を送出ＰＣ３１−１に送る。このサイクルを繰り返して随時必要な音声データが出力されていく。
次に送出ＰＣ３１−１が故障し音声データの出力を行えなくなった場合について説明する。図３の音声データ(４)の出力過程を例にとる。システム制御装置Ａからの出力準備要求(４)に対して、送出ＰＣ３１−１が音声データ(４)の準備を行えなくなると、送出ＰＣ３１−１はアラームをシステム制御装置Ａに返す。アラームを受け取ったシステム制御装置Ａはすぐに切替器２５に切替制御を送り、切替スイッチ４２−１は送出ＰＣ３１−１からサーバー２３に切り替えられる。同時に出力準備要求(４)をサーバー２３に送る。サーバー２３は準備要求(４)をＳＩＯ Ｉ／Ｆ３３で受けＣＰＵ３６で処理し、オンエアデータをもとにして要求された音声データ(４)をＨＤＤ３２−１〜ｎから取り出す。そして準備完了(４)をシステム制御装置Ａに返す。放送時間３になるとシステム制御装置Ａは出力開始要求(４)をサーバー２３に送る。要求を受け取ったサーバー２３は準備していた音声データ(４)をＡＵＤＩＯ Ｉ／Ｆ３５−１から出力する。音声データ(４)の出力が行われている間、システム制御装置Ａは出力準備要求(５)をサーバー２３に送る。
このサイクルを繰り返し行うことにより、送出ＰＣ３１−１からの送出が行えなくなっても同一の音声データをサーバー２３から送出することができる。またサーバー２３からの送出系統数を送出ＰＣ３１−１〜ｎと同数にして、それぞれに切替スイッチ４２−１〜ｎを設けているので任意の送出ＰＣが送出不可能になってもサーバー２３が代わりに送出をすることができる。これにより送出システム２４を現用・予備構成にしなくても信頼性を維持することができる。そして送出ＰＣ３１−１〜ｎには当日と翌日分の音声データのみを記録すればよいので、音声記録装置３７の容量は小さくすることができる。以上から信頼性を下げることなく小規模で安価なシステムを構築することができる。
【図面の簡単な説明】
【０００７】
【図１】本発明における音声送出装置の構成を示すブロック図である。
【図２】図１に示した音声送出装置の音声データの出力部分を説明するための詳細なブロック図である。
【図３】図１に示した音声送出装置の音声データの出力過程を示す図である。
【図４】従来の音声送出装置の構成を示すブロック図である。
【符号の説明】
【０００８】
１  従来の音声送出装置
２  音声入力機器
３  ＡＴＤ変換器
４  エンコーダ
５  送出装置
６  音声入力ボード
７−１〜ｎ  音声出力ボード(任意)
８  シリアルＩ／Ｆ
９  音声記録装置
１０  ＣＰＵ
１１  制御装置
１２−１〜ｎ  操作端末(任意)
１３  ＬＡＮ
２０  音声送出装置
２１  制作・編集部
２２  操作部
２３  サーバー
２４  送出システム
２５  切替器
２６  上位システムＩ／Ｆ  ＰＣ
２７  端末−サーバー間ＬＡＮ
２８  サーバー−送出ＰＣ間ＬＡＮ
２９−１〜ｎ  制作・編集端末(任意)
３０−１〜ｎ  操作端末(任意)
３１−１〜ｎ  送出ＰＣ(任意)
２８  サーバー−送出ＰＣ間ＬＡＮ
３１−１  送出ＰＣ
３２−１〜ｎ  ＨＤＤ(任意)
３３  シリアル Ｉ／Ｆ
３４  ＦサーバーＬＡＮ  Ｉ／Ｆ
３５−１〜ｎ  音声出力Ｉ／Ｆ(任意)
３６  サーバーＣＰＵ
３７  音声記録装置
３８  送出ＰＣ  ＬＡＮ  Ｉ／Ｆ
３９  シリアルＩ／Ｆ
４０  音声出力Ｉ／Ｆ
４１  送出ＰＣ  ＣＰＵ
４２−１〜ｎ  切替スイッチ(任意)
（Ａ）  出力中の音声データ状態
（Ｂ）  送出ＰＣ２９の動作状態
（Ｃ）  システム制御装置Ａの動作状態
（Ｄ）  サーバー２２の動作状態
（Ｅ）  切替器の状態
【図１】
2005045689.tif 000003
【図２】
2005045689.tif 000004
【図３】
2005045689.tif 000005
【図４】
2005045689.tif 000006